【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
撮像により生成された第１の画像から第１の色を有する瞳を検出する第１の検出手段と、前記第１の検出手段にて検出された瞳を前記第１の色とは異なる第２の色に変更する変更手段とを有する画像処理装置において、
前記第１の画像から前記第１の色の瞳を有する被写体の特徴を表す特徴情報を検出する第２の検出手段と、
瞳を有する被写体ごとに、該被写体に対応した前記特徴情報と瞳の色を記憶する記憶手段とを有し、
前記変更手段は、前記第２の検出手段にて検出された前記特徴情報に応じた被写体の瞳の色を前記記憶手段から読み出して前記第２の色として設定することを特徴とする画像処理装置。
【請求項２】
撮像により生成された第１の画像から第１の色を有する瞳を検出する第１の検出手段と、前記第１の検出手段にて検出された瞳を前記第１の色とは異なる第２の色に変更する変更手段とを有する画像処理装置において、
前記第１の画像から前記第１の色の瞳を有する被写体の特徴を表す特徴情報を検出する第２の検出手段と、
前記第１の画像とは異なる第２の画像の中から、前記第２の検出手段にて検出された前記特徴情報に対応する被写体を探索する探索手段とを有し、
前記変更手段は、前記探索手段により探索された前記被写体の瞳の色に基づいて前記第２の色を設定することを特徴とする画像処理装置。
【請求項３】
前記第１の画像は、照明光を用いた撮像によって生成された画像であり、
前記第２の画像は、前記第１の画像を生成したときの照明光より発光量が低い照明光を用いた撮像によって生成された画像、又は、前記照明光を用いない撮像によって生成された画像であることを特徴とする請求項２に記載の画像処理装置。
【請求項４】
前記第１の色とは、照明光を用いた撮像によって生じた赤目の色であることを特徴とする請求項１乃至３のいずれか１つに記載の画像処理装置。
【請求項５】
前記特徴情報は、前記被写体の顔の特徴を表す情報であることを特徴とする請求項１乃至４のいずれか１つに記載の画像処理装置。
【請求項６】
前記顔の特徴を表す情報は、被写体の眉や目の距離、顔の輪郭、鼻又は口の形状、及び肌の色のうち少なくともいずれか一つを含むことを特徴とする請求項５に記載の画像処理装置。
【請求項７】
撮像により生成された第１の画像から第１の色を有する瞳を検出する第１の検出工程と、前記第１の検出工程にて検出された瞳を前記第１の色とは異なる第２の色に変更する変更工程とを有する画像処理方法において、
前記第１の画像から前記第１の色の瞳を有する被写体の特徴を表す特徴情報を検出する第２の検出工程を有し、
前記変更工程において、瞳を有する被写体ごとに該被写体に対応した前記特徴情報と瞳の色を記憶した記憶手段から、前記第２の検出工程にて検出された前記特徴情報に応じた被写体の瞳の色を読み出して前記第２の色として設定することを特徴とする画像処理方法。
【請求項８】
撮像により生成された第１の画像から第１の色を有する瞳を検出する第１の検出工程と、前記第１の検出工程にて検出された瞳を前記第１の色とは異なる第２の色に変更する変更工程とを有する画像処理方法において、
前記第１の画像から前記第１の色の瞳を有する被写体の特徴を表す特徴情報を検出する第２の検出工程と、
前記第１の画像とは異なる第２の画像の中から、前記第２の検出手段にて検出された前記特徴情報に対応する被写体を探索する探索工程とを有し、
前記変更工程において、前記探索工程により探索された前記被写体の瞳の色に基づいて前記第２の色を設定することを特徴とする画像処理方法。
【請求項９】
前記第１の画像は、照明光を用いた撮像によって生成された画像であり、
前記第２の画像は、前記第１の画像を生成したときの照明光より発光量が低い照明光を用いた撮像によって生成された画像、又は、前記照明光を用いない撮像によって生成された画像であることを特徴とする請求項８に記載の画像処理方法。
【手続補正２】
【補正対象書類名】明細書
【補正対象項目名】発明の名称
【補正方法】変更
【補正の内容】
【発明の名称】画像処理装置および画像処理方法
【手続補正３】
【補正対象書類名】明細書
【補正対象項目名】０００８
【補正方法】変更
【補正の内容】
【０００８】
本願第１の発明は、撮像により生成された第１の画像から第１の色を有する瞳を検出する第１の検出手段と、第１の検出手段にて検出された瞳を第１の色とは異なる第２の色に変更する変更手段とを有する画像処理装置において、第１の画像から第１の色の瞳を有する被写体の特徴を表す特徴情報を検出する第２の検出手段と、瞳を有する被写体ごとに、該被写体に対応した上記特徴情報と瞳の色を記憶する記憶手段とを有する。そして、変更手段は、第２の検出手段にて検出された上記特徴情報に応じた被写体の瞳の色を記憶手段から読み出して第２の色として設定する。
【手続補正４】
【補正対象書類名】明細書
【補正対象項目名】０００９
【補正方法】変更
【補正の内容】
【０００９】
また、本願第２の発明は、撮像によって生成された第１の画像から第１の色を有する瞳を検出する第１の検出手段と、第１の検出手段にて検出された瞳を該第１の色とは異なる第２の色に変更する変更手段とを有する画像処理装置において、第１の画像から第１の色の瞳を有する被写体の特徴を表す特徴情報を検出する第２の検出手段と、第１の画像とは異なる第２の画像の中から、第２の検出手段にて検出された上記特徴情報に対応する被写体を探索する探索手段とを有する。そして、変更手段は、探索手段により探索された被写体の瞳の色に基づいて第２の色を設定する。
【手続補正５】
【補正対象書類名】明細書
【補正対象項目名】００１０
【補正方法】変更
【補正の内容】
【００１０】
本願第１の発明によれば、被写体毎の特徴情報及び瞳の色を記憶した記憶手段から、第２の検出手段にて検出された特徴情報に対応した瞳の色を読み出して第２の色として設定することにより、被写体の本来の瞳の色を反映した補正画像を得ることが可能となる。また、本願第２の発明によれば、探索手段にて探索された被写体の瞳の色に基づいて第２の色を設定することにより、被写体の本来の瞳の色を反映した補正画像を得ることが可能となる。
【手続補正６】
【補正対象書類名】明細書
【補正対象項目名】００１８
【補正方法】変更
【補正の内容】
【００１８】
一方、図２には、本発明の実施例１に係る画像処理装置の一例であるパーソナルコンピュータ３００を示す図である。デジタルカメラ、デジタルビデオカメラ、カメラ付き携帯電話等の撮像装置２００では、被写体の画像が生成される。この画像は、記録媒体２０１に記録されたり、ケーブル２０２を介して外部に出力されたりする。
【手続補正７】
【補正対象書類名】明細書
【補正対象項目名】００３８
【補正方法】変更
【補正の内容】
【００３８】
ステップ１０５では、特定人物情報からその人物の本来の瞳の色を読み出し、その色（第２の色）を用いて第１の画像上の該人物の赤目領域を補正する。具体的には、ステップ１０３−１で検出した赤目領域の色差信号値を、該第２の色に対応する色差信号値で置換する。こうして赤目が本来の瞳の色に変更された補正画像を、ステップ１０７において記録媒体に記録する。
【手続補正８】
【補正対象書類名】明細書
【補正対象項目名】００４１
【補正方法】変更
【補正の内容】
【００４１】
また、ステップ１１０では、顔領域から被写体となった人物の人種を判定する。例えば、ステップ１０３−１で検出した特徴点としての肌の色を用いて人種を判定する。判定できた場合は、ステップ１１１に進み、判定した人種に一般的な瞳の色として人物情報に含まれる色の色差信号で赤目領域の色差信号を置換し、赤目を補正する。そして、ステップ１１２に進み、補正画像を記録媒体に記録する。ここで、人種別の瞳の色としては、例えば、白人であればブルーとし、黄色人種や黒人であれば黒とする。
【手続補正９】
【補正対象書類名】明細書
【補正対象項目名】００４２
【補正方法】変更
【補正の内容】
【００４２】
ステップ１１０において人種を判定できなかった場合は、ステップ１１３に進み、デフォルト色として設定されている色（例えば、黒）や撮影者が指定した色を用いて、赤目補正を行う。そして、ステップ１１４で、補正画像を記録媒体に記録する。
【手続補正１０】
【補正対象書類名】明細書
【補正対象項目名】００４７
【補正方法】変更
【補正の内容】
【００４７】
次に、ステップ２０２では、顔検出部１１２ａおよび赤目検出部１１２ｂにより、実施例１のステップ１０２と同様にして、撮影画像から顔領域が検出され、かつ赤目があるか否かを判定する。赤目がない場合には、ステップ２０４に進み、撮影画像を記録媒体に記録する。赤目がある場合は、ステップ２０３に進む。
【手続補正１１】
【補正対象書類名】明細書
【補正対象項目名】００４９
【補正方法】変更
【補正の内容】
【００４９】
次に、ステップ２０５では、色補正部１１２ｄにおいて、第２の画像から、第１の画像中の被写体人物と同一人物を探索する。探索手法は、実施例１のステップ１０６と同様である。同一人物が検出できたときはステップ２０６に、できなかったときはステップ２０８に進む。
【手続補正１２】
【補正対象書類名】明細書
【補正対象項目名】００５１
【補正方法】変更
【補正の内容】
【００５１】
一方、ステップ２０７では、実施例１のステップ１１０と同様に人種を判定する。人種が判定できたときは、ステップ２０９に進み、実施例１のステップ１１１と同様にして、人種に対応した瞳の色で第１の画像の赤目を補正する。そして、ステップ２１０にて、補正画像を記録媒体に記録する。
【手続補正１３】
【補正対象書類名】図面
【補正対象項目名】図４
【補正方法】変更
【補正の内容】
【図４】
2005353010.tif 000001